(57)【要約】【課題】左右方向も含めて風向の変更のバリエーションを増やせかつ、室内機の美観を向上させ易い水平羽根を提供する。【解決手段】水平羽根６は、吹出口の前方の方向に吹出口から吹き出される空気の風向きを上下に変更できるように、吹出口の前方に設けられる。そして、水平羽根６は、吹出口から吹き出される空気を吹出口の長手方向に沿う左右方向に吹き出すための左側スリット１３および右側スリット１４が左右端部近傍に形成されている。【選択図】図７
2011027330.tif 000002
【特許請求の範囲】
【請求項１】
吹出口（４）の前方の方向に前記吹出口から吹き出される空気の風向きを上下に変更できるように前記吹出口の前方に設けられ、前記吹出口から吹き出される空気を前記吹出口の長手方向に沿う左右方向に吹き出すための左側スリット（１３）および右側スリット（１４）が左右端部近傍に形成されている、水平羽根。
【請求項２】
前記吹出口から吹き出された空気の流れる向きを横方向に曲げて前記左側スリットおよび前記右側スリットのうちの少なくとも一方に誘導する横吹誘導部（６ｋ、６ｌ、１５，１６）を前記左側スリットおよび前記右側スリットのうちの少なくとも一方の周辺に有する、請求項１に記載の水平羽根。
【請求項３】
前記吹出口の閉止時に少なくとも前記吹出口の一部を覆うために設けられ、前記吹出口の開放時に調和空気の風向を上下に変更する本体部（６ａ、６Ａａ）と、
前記本体部の左端に前記本体部よりも前記吹出口の方に曲がるように形成され、前記左側スリットが配置される左側面部（６ｂ，６Ａｂ）と、
前記本体部の右端に前記本体部よりも前記吹出口の方に曲がるように形成され、前記右側スリットが配置される右側面部（６ｃ、６Ａｃ）と
を備える、請求項１または請求項２に記載の水平羽根。
【請求項４】
吹出口（４）が形成されているケーシング本体（２）と、
請求項３に記載の水平羽根（６，６Ａ）と、
前記水平羽根が前記吹出口を覆った状態で前記水平羽根に覆われる空間側に設けられ、前記吹出口から吹き出される調和空気を左右方向のうちの少なくとも一方に導くガイド（６０）と
を備える、空気調和装置。
【請求項５】
吹出口（４）が形成されているケーシング本体（２）と、
請求項１から３のいずれかに記載の水平羽根（６，６Ａ）と、
前記水平羽根が前記吹出口の周囲に接しないように迫出させることが可能な水平羽根駆動機構（３１，３１Ａ）と
を備える、空気調和装置。
【請求項６】
前記水平羽根駆動機構は、前後左右の４方向に調和空気を導くことができる状態に前記水平羽根を迫出させ得る、請求項５に記載の空気調和装置。
【請求項７】
前記水平羽根駆動機構は、前記水平羽根を左または右に傾け得る、請求項５または請求項６に記載の空気調和装置。
【請求項８】
吹出口（４）が形成されているケーシング本体（２）と、
請求項１から３のいずれかに記載の水平羽根（６，６Ａ）と、
前記水平羽根が前記吹出口を覆った状態で、前記左側スリットから左方向に調和空気を吹出し、前記右側スリットから右方向に調和空気を吹き出すように制御し得る制御部（２０，２０Ａ）と
を備える、空気調和装置。
【発明の詳細な説明】
【技術分野】
【０００１】
本発明は、水平羽根および空気調和装置に関し、特に調和空気の吹き出し方向を変更するための水平羽根、および水平羽根を備える空気調和装置に関する。
【背景技術】
【０００２】
空気調和装置の壁掛け型室内機は、ケーシング本体内に、室内側熱交換器を備えている。壁掛け型室内機は、クロスフローファンなどの送風ファンにより室内空気をケーシング本体内に吸い込み、吸込んだ室内空気を室内側熱交換器に通して空気調和を行い、調和空気を吹出口からケーシング本体外に吹き出している。吹出口から吹き出される調和空気の風向を制御するために、壁掛け型室内機には、左右方向の風向を調節する垂直羽根と上下方向の風向を調節する水平羽根が設けられるのが一般的である。
【０００３】
従来の壁掛け型室内機の吹出口は、一般に室内機前面または室内機底面に設けられている。室内のインテリアとの調和のために室内機の外観を重視する場合、室内機の停止時には水平羽根によって吹出口が塞がれ、室内機の運転時には水平羽根によって上下方向の風向が調節されるような構造を採用することがある。このような構造を採用するときには、水平羽根は、吹出口と同じ長さ、すなわちケーシング本体の長手方向の長さよりも短いものである。
【０００４】
このように室内機前面や室内機底面に吹出口が設けられている場合には、室内機の奥行きがあるために、壁掛け型室内機が取り付けられている壁面に近いゾーンには調和空気を送り届けることが難しくなる。吹出口から吹き出される調和空気の風向が壁面に対して所定の角度を持つため、この傾向は室内機からの距離が遠くなればなるほど顕著になる。
【０００５】
そこで、例えば特許文献１（特開２００６−２９８４号公報）では、水平羽根を閉じた状態で水平羽根とケーシング本体の左右側面に開口ができるように構成して、これらの開口から左右に吹き出される風の流れを形成することが提案されている。
【発明の概要】
【発明が解決しようとする課題】
【０００６】
しかし、特許文献１の壁掛け型室内機のような場合には、垂直羽根により左右方向の強さは変更できるが、風向きは水平方向に限定され、左右方向において水平羽根を突き抜ける方向などへの誘導は難しかった。また、左右側面に大きな開口などを設けると意匠上のノイズとなり室内機のインテリア性を低下させる。
【０００７】
本発明の課題は、左右方向も含めて風向の変更のバリエーションを増やすことができかつ、室内機の美観を向上させ易い水平羽根を提供することにある。
【課題を解決するための手段】
【０００８】
第１発明に係る水平羽根は、吹出口の前方の方向に吹出口から吹き出される空気の風向きを上下に変更できるように吹出口の前方に設けられている。そして、水平羽根は、吹出口から吹き出される空気を吹出口の長手方向に沿う左右方向に吹き出すための左側スリットおよび右側スリットが左右端部近傍に形成されている。
【０００９】
本発明によれば、水平羽根の面に沿う気流が、左側スリットおよび右側スリットを通過する気流とは異なることから、これらの違いを利用することにより、気流のバリエーションを増やすことができる。また、水平羽根に、左側スリットおよび右側スリットを設けることにより、側面部に開口を設けなくてもよくなるため、左側面および右側面によけいなものがなくなり、洗練された形状に仕上げ易くなる。
【００１０】
第２発明に係る水平羽根は、第１発明の水平羽根であって、横吹誘導部を左側スリットおよび右側スリットのうちの少なくとも一方の周辺に有する。横吹誘導部は、吹出口から吹き出された空気の流れる向きを横方向に曲げて左側スリットおよび右側スリットのうちの少なくとも一方に誘導する。
【００１１】
本発明によれば、横吹誘導部により、横吹誘導部が設けられている左側スリットおよび／または右側スリットに調和空気を誘導し易くなり、左側スリットおよび／または右側スリットによる横吹きの効果を向上させることができる。
【００１２】
第３発明に係る水平羽根は、第１発明または第２発明の水平羽根であって、吹出口の閉止時に少なくとも吹出口の一部を覆うために、本体部が設けられている。この本体部は、吹出口の開放時に調和空気の風向を上下に変更する。さらに、本体部の左端に本体部よりも吹出口の方に曲がるように左側面部が形成されている。左側面部には、左側スリットが配置されている。同様に、本体部の右端に本体部よりも吹出口の方に曲がるように右側面部が形成されている。右側面部には、右側スリットが配置されている。
【００１３】
本発明によれば、左側面部により左側スリットを通過せずに左に流れる気流を弱められることから、左に吹き出される気流を構成する調和空気が左側スリットを通過したものにほぼ限られる。同様に、右側面部により右側スリットを通過せずに右に流れる気流を弱められることから、右に吹き出される気流を構成する調和空気が右側スリットを通過したものにほぼ限られる。左側スリットおよび右側スリットをこのような場所に配置することにより、左右に吹き出される気流の領域を限定して左右に強く吹き出させたいような設計に対応できる。
【００１４】
第４発明に係る空気調和装置は、吹出口が形成されているケーシング本体と、第３発明の水平羽根と、水平羽根が吹出口を覆った状態で水平羽根に覆われる空間側に設けられたガイドとを備える。ガイドは、吹出口から吹き出される調和空気を左右方向のうちの少なくとも一方に導く。
【００１５】
本発明によれば、ガイドと左側スリットおよび右側スリットのうちの少なくとも一方との協働によって、調和空気の左右方向へ吹き出し方にバリエーションを持たせることができる。
【００１６】
第５発明に係る空気調和装置は、吹出口が形成されているケーシング本体と、第１発明から第３発明のいずれかの水平羽根と、水平羽根が吹出口の周囲に接しないように迫出させることが可能な水平羽根駆動機構とを備える。
【００１７】
本発明によれば、水平羽根駆動機構によって水平羽根が迫出すことにより、吹出口の周囲と水平羽根との距離の調節が多様化し、風向や風速などの制御のバリエーションが増える。
【００１８】
第６発明に係る空気調和装置は、第５発明の空気調和装置であって、水平羽根駆動機構は、前後左右の４方向に調和空気を導くことができる状態に水平羽根を迫出させ得る。
【００１９】
本発明によれば、水平羽根駆動機構は、前後左右の４方向に調和空気を導くことができる状態に本体部、左側面部および右側面部を迫出させた状態から、さらに例えば先端部を少し下に傾けるなど微調整をすることにより、調和空気が周囲に分散する状態に近い状態を作り出せるので、調和空気の流れを人が感じ難い静粛性の高い状態で空気調和を行うことができる。
【００２０】
第７発明に係る空気調和装置は、第５発明または第６発明の空気調和装置であって、水平羽根駆動機構は、水平羽根を左または右に傾け得る。
【００２１】
本発明によれば、水平羽根を水平羽根駆動機構により左または右に傾けた方へ強く調和空気を吹き出せるので、また、傾けた方とは逆の方に吹き出すときには調和空気の気流を弱めることができるので、気流のバリエーションを増やすことができ、室内の状況に合わせた空気調和を行うことができる。
【００２２】
第８発明に係る空気調和装置は、吹出口が形成されているケーシング本体と、第１発明から第３発明のいずれかの水平羽根と、水平羽根駆動機構は、水平羽根を左または右に傾け得る。
【００２３】
本発明によれば、左右にだけ調和空気を送りたい場合に対応することができる。
【発明の効果】
【００２４】
第１発明の水平羽根によれば、左側スリットおよび右側スリットは、左右端部近傍に設けられていることから、特に左右方向の風向変更の豊富化に活用できて、風向の変更のバリエーションを増やすことができかつ、側面部に開口を設けなくてもよくなることから、室内機の美観を向上させ易くなる。
【００２５】
第２発明の水平羽根によれば、左側スリットおよび／または右側スリットの横吹誘導部により横に吹き出す機能を向上させることができ、左右方向の風向変更のバリエーションが広がる。
【００２６】
第３発明の水平羽根によれば、範囲を限定して強く左右方向に調和空気を吹き出させたい設計のバリエーションに対応でき、新たな設計のバリエーションを提供できる。
【００２７】
第４発明の空気調和装置によれば、左側ガイドおよび／または右側ガイドとガイドとの協働によって、ガイドが無い場合とは異なる左右方向への調和空気の吹き出させ方ができ、左右方向の風向変更のバリエーションが広がる。
【００２８】
第５発明の空気調和装置によれば、水平羽根駆動機構によって、制御し得る風向や風速などのバリエーションが増えて快適な空気調和が実現し易くなる。
【００２９】
第６発明の空気調和装置によれば、静粛性の高い状態で空気調和を行うことができ、室内が所望の空気調和状態に近い状況になった時点において、空気調和の快適性を向上させることができる。
【００３０】
第７発明の空気調和装置によれば、水平羽根駆動機構による本体部の左右への傾きによって、左右へ吹き出す調和空気の気流の微調整ができ、さらに調和空気の調整のバリエーションを増やすことができる。
【００３１】
第８発明の空気調和装置によれば、制御部によって前方方向には調和空気を吹き出させず左右方向に調和空気を吹き出させることができるので、左右方向を強く空気調和したい場合に対応することが出る。
【図面の簡単な説明】
【００３２】
【図１】第１実施形態の室内機の正面図。
【図２】第１実施形態の室内機の底面図。
【図３】第１実施形態の室内機の側面図。
【図４】第１実施形態の室内機の斜視図。
【図５】第１実施形態の室内機の水平羽根を取外した状態を示す斜視図。
【図６】（ａ）第１実施形態の水平羽根の正面図。（ｂ）第１実施形態の水平羽根の底面図。（ｃ）第１実施形態の水平羽根の右側面図。
【図７】（ａ）第１実施形態の水平羽根の斜視図。（ｂ）第１実施形態の水平羽根の右側面部近傍部分を拡大した斜視図。
【図８】第１実施形態の制御部の構成を説明するためのブロック図。
【図９】第１実施形態の室内機の右底面近傍の部分拡大図。
【図１０】（ａ）第１実施形態の冷房運転時の室内機の正面図。（ｂ）第１実施形態の冷房運転時の室内機の底面図。
【図１１】（ａ）第１実施形態の冷房運転時の室内機の側面図。（ｂ）第１実施形態の冷房運転時の室内機の斜視図。
【図１２】（ａ）第１実施形態の暖房運転時の室内機の正面図。（ｂ）第１実施形態の暖房運転時の室内機の底面図。
【図１３】（ａ）第１実施形態の暖房運転時の室内機の側面図。（ｂ）第１実施形態の暖房運転時の室内機の斜視図。
【図１４】（ａ）第１実施形態の無感気流モード時の室内機の正面図。（ｂ）第１実施形態の無感気流モード時の室内機の底面図。
【図１５】（ａ）第１実施形態の無感気流モード時の室内機の側面図。（ｂ）第１実施形態の無感気流モード時の室内機の斜視図。
【図１６】第２実施形態に係る室内機の斜視図。
【図１７】第２実施形態の制御部の構成を説明するためのブロック図。
【図１８】第２実施形態の無感気流モード時の室内機の正面図。
【図１９】第２実施形態の無感気流モード時の室内機の斜視図。
【図２０】第２実施形態の暖房運転時の室内機の正面図。
【図２１】第２実施形態の暖房運転時の室内機の斜視図。
【図２２】（ａ）変形例に係るガイドを説明するための部分拡大斜視図。（ｂ）変形例に係るガイドを説明するための部分拡大斜視図。
【発明を実施するための形態】
【００３３】
＜第１実施形態＞
＜空気調和装置の構成の概要＞
この発明の一実施形態に係る空気調和装置は、室内に取り付けられる室内機と、室外に設置される室外機とを備えている。室内機と室外機とは、冷媒配管、加湿ホース、伝送線及び通信線などを集合した集合連絡管によって接続される。空気調和装置は、熱交換を行って室内の空気調和を行うために、例えば、室内機の室内側熱交換器（冷房時は蒸発器／暖房時は凝縮器として機能する）及び、室外機の圧縮機と室外側熱交換器（冷房時は凝縮器／暖房時は蒸発器として機能する）と膨張弁などが、集合連絡管の中を通る冷媒配管で連結されて構成される冷媒回路を備えている。また、空気調和装置を制御するために、リモートコントローラなどの制御端末から指令を受けて室内機のファンモータなどの室内側機器を制御するための電装品箱が室内機に設けられ、室外機のファンモータなどの室外側機器を制御するための電装品箱が室外機に設けられている。そして、室内機の電装品箱と室外機の電装品箱とが集合連絡管の中を通る伝送線で接続されている。
【００３４】
＜空気調和装置の室内機の構成＞
（室内機の概観）
図１は、本発明の一実施形態に係る空気調和装置の室内機の正面図であり、図２は室内機の底面図であり、図３は室内機の右側面図であり、図４は右斜め下から見た室内機を示す斜視図である。室内機１は、ケーシング本体２の前面１ａ、左側面１ｂ、右側面１ｃ、天面１ｄおよび底面１ｅすなわち背面１ｆを除く５つの面が化粧パネル５で覆われている。なお、以下の説明において、室内機１の背面１ｆから前面１ａ（正面）に向かう方向を前方といい、室内機１の左側面１ｂおよび右側面１ｃを結ぶ方向すなわち吹出口４の長手方向に沿う方向を左右方向という。
【００３５】
この室内機１は、ケーシング本体２の天面１ｄに吸込口３を備え、底面１ｅに吹出口４を備えている。図１には、吹出口４に設けられている水平羽根６がとじられた状態が示されている。通常は運転停止時に吹出口４を閉じ、運転時に吹出口４を開放するのであるが、図１の室内機１は水平羽根６で吹出口４を塞いだ状態でも左右方向に調和空気を吹き出すことができる。このような室内機１の動作の詳細については後述する。なお、以下の説明において、水平羽根６が吹出口４を塞ぐという表現は吹出口４と水平羽根６の間に調和空気を吹き出す隙間がない状態の表現に用い、水平羽根６が吹出口４を覆うという表現は閉じる動作に説明の重点を置いて調和空気を吹き出す隙間がある場合もない場合も許容する表現として用いる。
【００３６】
図１に示す室内機１では、前面１ａから室内空気の吸い込みは行われず、室内機１はもっぱらケーシング本体２の天面１ｄの吸込口３から室内空気の吸い込みを行っている。そのため、室内機１の内部における室内空気の循環は、室内機１の天面１ｄの側から室内機１の底面１ｅの側に向けて行われる。このような室内機１のケーシング本体２の内部には、図３に示すように、側面視においてケーシング本体２の略中央の背面側寄りにクロスフローファン７が設けられる。このクロスフローファン７の上流側には、側面視において、逆Ｖ字形状をした室内熱交換器（図示省略）が配置され、クロスフローファン７に吸込まれる前に室内熱交換器を室内空気が通過することによって空気調和が行われる。また、室内熱交換器の上流にはエアフィルタ（図示省略）が設けられており、クロスフローファン７に導かれる調和空気にエアフィルタの隙間より大きな埃は完全に取り除かれる。図示を省略するが、正面視においては、このクロスフローファン７は、吸込口３と同じ程度の長さを有し、ケーシング本体２の長手方向に沿って長く水平に配置されている。このようにケーシング本体２の長手方向に長く延びるクロスフローファン７により室内空気の吸い込みと調和空気の吹き出しとを行って効率良く室内の空気調和を実施させるため、室内熱交換器もケーシング本体２の長手方向に長く延びる形状に形成され、長く延びる吸込口３と吹出口４との間に配置される。
【００３７】
クロスフローファン７と吹出口４との間には、図３に示すように、ディフューザー構造の吹出通路８が設けられる。吹出通路８の案内面８ａは、側面視において、クロスフローファン７の側に曲率中心を持つ滑らかな曲線を描いており、下方に向かうに従って曲率半径が大きくなる。また、クロスフローファン７が、右側面から見て、時計回りに回転して送風し、その中心軸が背面１ｆの方に寄って配置されているので、吹出通路８は、底面１ｅの前方側に向けて斜めに形成される。そのため、吹出通路８から吹出口４に向かう調和空気は、天面１ｄから底面１ｅの方に向く方向ベクトルと背面１ｆから前面１ａの方に向く方向ベクトルとを有し、乱れの少ない層流になる。
【００３８】
＜風向装置の構成＞
吹出口４の前方には、水平羽根６が設けられる。水平羽根６は、運転時に開く場合と、閉じたまま運転を行う場合の２つの状態を取り得る。室内機１は、この水平羽根６によって室内機１の上下方向の風向きを調節することができる。この室内機１では、暖房時および冷房時などにおいて吹出口４から前方へ送風する場合に水平羽根６が開き、吹出口４から左右にのみ送風する場合に水平羽根６が閉じる。図１には、吹出口４が水平羽根６で塞がれて閉じている状態が示されている。
【００３９】
図５は、左斜め下から見上げた室内機１を示す斜視図であり、吹出通路８の内部の構造を説明し易くするため、水平羽根６を取外した状態を示している。吹出通路８には、垂直羽根連結棒１０によって連結された複数枚の垂直羽根９が揺動可能に取り付けられている。これら複数の垂直羽根９の面９ａは、ケーシング本体２の長手方向に対して垂直な状態を中心にして左右に揺動する。これら垂直羽根９は、揺動することにより、あるいは揺動した後に任意の角度で止まることにより、調和空気の吹出し方向の左右方向を調整する。垂直羽根９は、２本の垂直羽根連結棒１０で連結されているため、左側面１ｂに近いグループＡと右側面１ｃに近いグループＢの２つのグループに分けることができる。揺動方向は、異なる垂直羽根連結棒１０に連結されているグループＡとグループＢで独立しており、例えばグループＡが右に傾いているときに、グループＢが左に傾くことがある。また、グループＡとグループＢにおいて、例えば同じ方向に傾いているときであっても傾く角度を異ならせることができる。当然、グループＡとグループＢに属する垂直羽根９を同じ向きに揺動させることもできる。
【００４０】
図５において、二点鎖線１１で示した位置は、底面１ｅと右側面１ｃの境界である稜線の延長線である。従来は、通常、二点鎖線１１のところまで右側面１ｃの化粧パネル５が存在していた。つまり、二点鎖線１１の上の底面１ｅが窪んでいる部分は、右側に吹出すための開口部１２ｃになる。吹出口４は、この開口部１２ｃを含んでいる。同様に、左側も底面１ｅが窪んでおり、吹出口４は、開口部１２ｂも含むものである。吹出口４の底面１ｅの開口部１２ａは、これら開口部１２ｂ，１２ｃの間にある。このように、吹出口４が左側の開口部１２ｂおよび右側の開口部１２ｃを持つことにより、水平羽根６の形状もそれに合わせたものとなっている。
【００４１】
次に、水平羽根６の構造について説明する。図６（ａ）に水平羽根の正面、図６（ｂ）に水平羽根の底面、そして図６（ｃ）に水平羽根の右側面を示している。また、図７（ａ）には、水平羽根の斜視図が示され、図７（ｂ）には、右側面部を左斜め上から見た部分拡大図が示されている。水平羽根６は、本体部６ａ、本体部６ａの左端からさらに左に延びる左側面部６ｂ、および本体部６ａの右端からさらに右に延びる右側面部６ｃを備えている。水平羽根６は、閉じた状態で、左側面部６ｂが左側面１ｂの開口部１２ａを塞ぎ、右側面部６ｃが右側面１ｃの開口部１２ｂを塞ぐように構成されている。
【００４２】
水平羽根６の先端部６ｄおよび後端部６ｅは、本体部６ａにおいて、左側面部６ｂと右側面部６ｃとの間を真直ぐ一直線に繋いでいる。左側面部６ｂの左側端部６ｆおよび右側面部６ｃの右側端部６ｇは、先端部６ｄから放物線を描くように後端部６ｅへと続き、左側面部６ｂおよび右側面部６ｃの後端部は、本体部６ａの後端部６ｅから延びて左側端部６ｆおよび右側端部６ｇに繋がる。
【００４３】
図６（ｃ）を見ると、本体部６ａの底面６ｈは、側面視において、後端部６ｅから先端部６ｄにかけて、弓形に反り上がっている。水平羽根６の本体部６ａは、通常可動のアームなどによって２点または３点で支えられることから撓まないように剛性を高めるため、また水平羽根６での結露などの防止が必要なことから断熱性を持たせるため、所定の厚みを有している。そのため、先端部６ｄから稜線６ｊまでは、側面視の底面６ｈの形状に沿って徐々に厚みが増し、多少の凹凸はあるものの比較的平坦な上面６ｉが続き、稜線６ｊから後端部６ｅにかけて急激に厚みが減少する。この水平羽根６が吹出口４を塞いでいる状態で、本体部６ａの平坦な上面６ｉが略水平に保たれる。
【００４４】
水平羽根６の左側面部６ｂおよび右側面部６ｃには、それぞれ左側スリット１３および右側スリット１４が形成されている。左側スリット１３は左上部スリット１３ａと左下部スリット１３ｂからなり、右側スリット１４は右上部スリット１４ａと右下部スリット１４ｂからなる。左下部スリット１３ｂは、斜面６ｋと斜面６ｍとの間に形成されている。斜面６ｋは、本体部６ａの左端部において、上面６ｉから斜めに底面６ｈの左端部近傍に達する斜面である。斜面６ｍは、左側面部６ｂにおいて、後端上部６ｂ１と後端部ｅとの中間の高さのところから先端部６ｄ近傍に向けて水平に延びる。右下部スリット１４ｂは、斜面６ｌと斜面６ｎとの間に形成されている。斜面６ｌは、本体部６ａの右端部において、上面６ｉから斜めに底面６ｈの右端部近傍に達する斜面である。斜面６ｎは、左側面部６ｂにおける後端上部６ｂ１および右側面部６ｃにおける後端上部６ｃ１と後端部ｅとの中間の高さのところから先端部６ｄ近傍に向けて水平に延びる。
【００４５】
そして、左下部スリット１３ｂと左上部スリット１３ａとの間に左横吹誘導板１５が形成され、右下部スリット１４ｂと右上部スリット１４ａとの間に右横吹誘導板１６が形成されている。左横吹誘導板１５および右横吹誘導板１６は、平面視において、斜面６ｋ,６ｌと一部が重なるが、大部分が重ならないように形成されている。また、左横吹誘導板１５および右横吹誘導板１６は、それぞれ左側面部６ｂおよび右側面部６ｃに向かって下方に傾斜している。そのため、吹出口４から斜面６ｋ，６ｌに向けて直接吹き付けられる調和空気は、斜面６ｋ，６ｌに沿って左右両端に向かって斜め下方に誘導され、左下部スリット１３ｂおよび右下部スリット１４ｂを通り抜けて、左側面部６ｂおよび右側面部６ｃから左右に斜め下方に向かって吹き出される。また、本体部６ａに沿って左右両端に向かう調和空気は、左横吹誘導板１５および右横吹誘導板１６よりも上面６ｉに近いものについては、左横吹誘導板１５および右横吹誘導板１６により上方へ逃げないように流れが制限されて左下部スリット１３ｂおよび右下部スリット１４ｂに誘導される。
【００４６】
左横吹誘導板１５および右横吹誘導板１６に上方から向かう空気は、左横吹誘導板１５および右横吹誘導板１６によって左右両端に向かって斜め下方に誘導され、左上部スリット１３ａおよび右上部スリット１４ａを通り抜けて、左側面部６ｂおよび右側面部６ｃから左右に斜め下方に向かって吹き出される。左上部スリット１３ａおよび右上部スリット１４ａの上部周辺には、水平羽根６より上方に向かう気流を抑制する補助板１７，１８が形成されている。
【００４７】
風向装置は、水平羽根６の開閉および開放時の角度を調整するため水平羽根６を駆動する水平羽根駆動機構を備えている。水平羽根駆動機構は、ケーシング本体２の長手方向の中央とその左右に、互いに平行に配置されている３本のアーム４０，４１，４２を含んでいる（図１０参照）。この３本のアーム４０，４１，４２は、ラックアンドピニオン機構（図示省略）によって前方に向かって斜め下方に伸びるように移動（迫出し）したり、それとは逆の方向に移動して収納されたりする。これらアーム４０，４１，４２は、移動量が同じになるようにラックアンドピニオン機構によって駆動されるため、アーム４０，４１，４２によって支持されている水平羽根６のラックアンドピニオン機構による動きは、平行移動になる。アーム４０，４１，４２は、水平羽根６に駆動軸（図示省略）を介して同一の軸線上に取り付けられており、水平羽根６を駆動軸の軸線の回りに回転させることができる。風向装置は、ラックアンドピニオン機構によるアーム４０，４１，４２の迫出し量の調整と、駆動軸による水平羽根６の回転角度の調整とによって、水平羽根６の平行移動と回転移動を組み合わせることにより、水平羽根６に種々の姿勢を取らせることができる。例えば、平坦な水平羽根６の本体部６ａの上面６ｉが水平になる姿勢を、水平羽根６が取りうるものとなっている。
【００４８】
以上のように、空気調和装置の風向装置は、水平羽根６と垂直羽根９およびそれらを駆動するための水平羽根駆動機構および垂直羽根駆動機構を備えている。垂直羽根駆動機構は、垂直羽根９を駆動するため、上述の垂直羽根連結棒１０を有している。水平羽根駆動機構および垂直羽根駆動機構の制御については後述する。
【００４９】
上述の水平羽根６と垂直羽根９の吹出し方向の調整および、クロスフローファン７の風速の調整により、室内の形態や室内の状況に対応した適切な空気調和を行うことができる。これら水平羽根６や垂直羽根９やクロスフローファン７の制御を行うために、図８に示すような制御部２０を備えている。制御部２０は、室内機１の各機器を制御するための室内制御部２１と、室外機の各機器を制御するための室外制御部２２とを備えており、室内制御部２１と室外制御部２２との間を信号線２３で接続して構成されている。
【００５０】
室外制御部２２には、圧縮機２４、室外電動膨張弁２５、四路切換弁２６、室外ファン２７、複数の圧力センサ２８および複数の温度センサ２９などが接続されている。室外制御部２２は、例えば圧縮機２４の回転数を制御することにより冷媒回路の冷媒循環量を制御し、室外電動膨張弁２５の開度を制御することにより冷媒回路を流れる冷媒の圧力を制御する。室外制御部２２は、四路切換弁２６を切り換えることにより、冷凍回路に流れる冷媒の循環経路の切換を行って暖房運転と冷房運転の切換などの運転切換の制御を行う。また、室外制御部２２は、室外ファン２７の回転数を制御することにより、室外熱交換器における熱交換効率の制御などを行う。そのため、冷媒回路や各機器に設置された複数の圧力センサ２８や温度センサ２９などによって検知された各部の温度や圧力を、室外制御部２２は、制御のための判断に用いている。
【００５１】
一方、室内制御部２１には、送受信部３０、水平羽根駆動機構３１、垂直羽根駆動機構３２、クロスフローファン用モータ３３、複数の温度センサ３４および表示部３５などが接続されている。室内制御部２１は、制御のために、使用者のリモートコントローラなどと送受信部３０との間でデータの送受信を行っている。室内制御部２１は、室内の状態や使用者の設定に従って、水平羽根駆動機構３１、垂直羽根駆動機構３２およびクロスフローファン用モータ３３の制御を行って、水平羽根６および垂直羽根９の角度や揺動の状態、およびクロスフローファン用モータ３３の回転数を調整し、調和空気の吹出し方向や吹き出す強さなどを変更することができる。室内制御部２１は、冷媒回路や各機器に設置された複数の温度センサ２９などによって検知された各部の温度などの状態情報を、制御のための判断に用いている。また、室内制御部２１は、表示部３５を介して、室内機１の設定状態や環境などを使用者に知らせる。
【００５２】
＜風向装置の動作＞
室内機１は、通常、停止時には、図１〜図４を用いて説明したように水平羽根６を閉じた状態になる。それにより、室内機１の停止時に水平羽根６に埃や花粉などが積もるのを防止している。図６および図７に示したように、水平羽根６には左側スリット１３および右側スリット１４が形成されている。しかし、水平羽根６の左側面部６ｂおよび右側面部６ｃが、湾曲しているため、左側スリット１３および右側スリット１４は、室内機１の左側面１ｂおよび右側面１ｃではなく、むしろ室内機１の底面１ｅに位置している。また、斜面６ｋ，６ｌや左横吹誘導板１５および右横吹誘導板１６が斜め下方に向けて傾いているため、水平羽根６が閉じることで埃や花粉などが積もり難くい状態となる。
【００５３】
（左右吹き）
図９は、右下方の前方側から見上げた室内機の状態を示す部分拡大図である。図９は、水平羽根６を閉じた状態で、左右方向にのみ調和空気を吹き出している状態を示している。また、上述の図１から図４にもこの状態での調和空気の吹出し方向を矢印で示している。このとき制御部２０の室内制御部２１は、水平羽根駆動機構３１に対して、水平羽根６を閉じた状態にするように指示信号を出力する。そして、左右に吹出し易くするため、垂直羽根９のグループＡは左側へ、そしてグループＢは右側へ気流を変更するように傾けるように、室内制御部２１から垂直羽根駆動機構３２に指示信号を出力する。それにより、例えば、図９に示すように、右側であれば、右上部スリット１４ａと右下部スリット１４ｂから室内機１の下方右方向Ｄ１，Ｄ２に向けて調和空気が吹き出される。例えば、右下部スリット１４ｂから吹き出される調和空気の方向Ｄ２は、斜面６ｍと右横吹誘導板１６の下面の角度で規制されるため、この角度をどのように形成するかによって、方向Ｄ２を設定することができる。
【００５４】
ここでは、右横吹誘導板１６が固定されている場合について説明しているが、この右横吹誘導板１６の下面の角度を変更で切るように構成することもでき、その場合には手動でまたは自動で方向Ｄ２を状況に応じて変更できるものになる。方向Ｄ１についても方向Ｄ２と同様に右横吹誘導板１６の上面の角度によって設定することができる。なお、吹き出される調和空気を吹出す強さは、クロスフローファン７の回転数を適当な値に設定するよう室内制御部２１からクロスフローファン用モータ３３に指示信号が出力される。
【００５５】
（冷房運転時の吹出し）
図１０（ａ）には、冷房運転時の室内機の正面図を示し、図１０（ｂ）には、冷房運転時の室内機の底面図を示している。また、図１１（ａ）には、冷房運転時の室内機の側面図を示し、図１１（ｂ）には、冷房運転時の室内機の斜視図を示している。冷房運転時には、水平羽根６の先端部６ｄが後端部６ｅよりも下がり、水平羽根６の上面６ｉが水平に対して例えば３０度程度傾斜している。中央のアーム４０と左右のアーム４１，４２によって吊られている水平羽根６を図１０および図１１に示す状態にするには、アーム４０，４１，４２を延ばすことにより水平羽根６を迫出させる動作と、アーム４０の先端にある駆動軸４３によりアーム４０に対する水平羽根６の角度を変化させる動作とを行うことが必要になる。図１０および図１１に示す角度に水平羽根６が開放されている状態で、吹出口４から調和空気が吹き出されると、水平羽根６の先端部６ｄと室内機１の底面１ｅとの間から前方に向かう調和空気の気流が形成される。この気流によって調和空気は、室内機１が取り付けられる室内の壁とは反対側の壁に向かって運ばれる。
【００５６】
このとき、垂直羽根９をケーシング本体２の長手方向に対して垂直に固定すると、水平羽根６の左右両端の左側スリット１３および右側スリット１４には、吹出口４から吹き出された調和空気が案内されない。このように垂直羽根９を垂直に固定すると、ほぼ全ての調和空気は真直ぐ前方に流れる。このときの気流の向きが図１０（ａ）の矢印で示されている。この場合、左側面部６ｂおよび右側面部６ｃがあることにより、前方への流れがスムーズになる。一方、垂直羽根９を左右に傾けて、しかし左右両端の左側スリット１３および右側スリット１４には調和空気が達しない角度に垂直羽根９を調節することができる。この場合には、水平羽根６によって前方に向かって流れる調和空気が扇型に広がる。このときの気流の向きが図１１（ｂ）の矢印で示されている。さらに、垂直羽根９を左右に傾けて、左右両端の左側スリット１３および右側スリット１４に調和空気が達する角度にすることができる。この場合には、水平羽根６によって前方に向かって流れる調和空気が扇型に広がるだけでなく、左側スリット１３を通過した調和空気は、左横吹誘導板１５および右横吹誘導板１６や斜面６ｋ，６ｌに沿って左右方向に流れる。このときの気流の向きが図１０（ｂ）の矢印で示されている。この場合には、左横吹誘導板１５および右横吹誘導板１６と斜面６ｋ，６ｌが水平羽根６の上面６ｉに対して角度をつけることのよって、気流に、やや後方に向かう方向ベクトルを持たせることができる。その様な設定にすると、室内機１の奥行きがあるために垂直羽根９だけでは誘導することが難しい、室内機１の真横の壁面に沿ったゾーンに調和空気を吹き出させることができる。なお、右横吹誘導板１６に角度を持たせず、真横に吹き出させるように構成することもできる。
【００５７】
このとき、水平羽根６の角度を変化させることによって左右方向に向かう気流の強さを変化させることもできる。例えば、水平羽根６の上面６ｉが、吹出口４から吹き出される層流の向きに対して垂直になる方向に近づければ近づけるほど、気流の前方に向かう強さが弱まる一方、左右方向へ向かう気流の強さが増す。
【００５８】
（暖房運転時の吹出し）
図１２（ａ）には、暖房運転時の室内機の正面図を示し、図１２（ｂ）には、暖房運転時の室内機の底面図を示している。また、図１３（ａ）には、暖房運転時の室内機の側面図を示し、図１３（ｂ）には、暖房運転時の室内機の斜視図を示している。暖房運転時には、水平羽根６の後端部６ｅが先端部６ｄよりも下にあって、水平羽根６の上面６ｉがほぼ垂直な状態になる。図１２および図１３に示す状態は、上面６ｉがほぼ垂直な状態よりも後端部６ｅが前方に出て、上面６ｉがやや下方に向いている。中央のアーム４０と左右のアーム４１，４２によって吊られている水平羽根６を図１２および図１３に示す状態にするには、上述の冷房運転と同様に、アーム４０，４１，４２により水平羽根６を迫出させ、アーム４０の先端にある駆動軸４３により水平羽根６を垂直に立った状態に変化させる。図１２および図１３に示す角度に水平羽根６が開放されている状態で、吹出口４から調和空気が吹き出されると、水平羽根６に遮られて調和空気は下方に向かって流れる。
【００５９】
このとき、垂直羽根９をケーシング本体２の長手方向に対して垂直に固定すると、水平羽根６の左右両端の左側スリット１３および右側スリット１４には、吹出口４から吹き出された調和空気は案内されず、ほぼ全ての調和空気は真直ぐ下方に流れる。このとき、左側面部６ｂおよび右側面部６ｃがあることにより、下方への流れがスムーズになる。一方、垂直羽根９を左右に傾けて、左右両端の左側スリット１３および右側スリット１４には調和空気が達しない角度にして、水平羽根６によって下方に向かって流れる調和空気を扇型に広げることができる。このときの気流の向きが図１３（ｂ）の矢印で示されている。さらに、垂直羽根９を左右に傾けて、左右両端の左側スリット１３および右側スリット１４に調和空気が達する角度にすることができる。この場合には、水平羽根６によって前方に向かって流れる調和空気が扇型に広がるだけでなく、左側スリット１３を通過した調和空気は、左横吹誘導板１５および右横吹誘導板１６や斜面６ｋ，６ｌに沿って左右方向に流れる。このとき、左横吹誘導板１５および右横吹誘導板１６と斜面６ｋ，６ｌが水平羽根６の上面６ｉに対して角度を持っているため、気流に、やや前方に向かう方向ベクトルを持たせることができる。それにより、水平羽根６で遮っただけでは誘導することが難しい、室内機１の左右側方の下方でやや前方に向かうゾーンに調和空気を吹き出させることができる。このときの気流の向きが図１２（ａ）および図１２（ｂ）に示されている。暖房運転時において、水平羽根６の角度を変化させることもできる。例えば、水平羽根６の上面６ｉが、吹出口４から吹き出される層流の向きに対して垂直になる方向に近づければ近づけるほど、気流の前方に向かう強さが弱まる一方、左右方向へ向かう気流の強さが増す。
【００６０】
（無感気流モード時の吹出し）
以下の説明において、人体が気流を感じ難いように気流を非常に弱くする調和空気の吹出しモードを無感気流モードという。図１４（ａ）には、無感気流モード時の室内機の正面図を示し、図１４（ｂ）には、無感気流モード時の室内機の底面図を示している。また、図１５（ａ）には、無感気流モード時の室内機の側面図を示し、図１５（ｂ）には、無感気流モード時の室内機の斜視図を示している。無感気流モード時には、水平羽根６の先端部６ｄが後端部６ｅよりもやや上がり、水平羽根６の上面６ｉが吹出口に対向する状態になっている。つまり、無感気流モードでの水平羽根６の姿勢は、水平羽根６が吹出口４を閉じている姿勢に対して概ね平行である。中央のアーム４０と左右のアーム４１，４２によって吊られている水平羽根６を図１４および図１５に示す状態にするには、アーム４０，４１，４２により水平羽根６を所定量だけ迫出させ、アーム４０の先端にある駆動軸４３（図１１（ｂ）参照）により角度を調整する程度に少し水平羽根６の後端部６ｅを下げた状態に変化させる。つまり、室内機１は、水平羽根６を迫出させて、吹出口４から吹き出される気流に対して水平羽根６が直交する状態で吹出口４を開放することができる。水平羽根６が吹出口４から吹き出される気流に対して直交する角度に保たれると、調和空気は水平羽根６に当たって前方と左右方向だけでなく後方にも流れ、すなわち４方向に吹出し可能な状態となる。
【００６１】
図１４および図１５に示す状態は、吹出口４から吹き出される層流の吹出し方向に対して上面６ｉが垂直になる状態よりもやや先端部６ｄが下がった状態である。この状態では、水平羽根６に当たって気流は弱められるが、調和空気の後方への流れは、ほとんど存在しないといえる状態か、あるいは極めて弱い状態である。図１４および図１５には後方に発生した極めて弱い気流が前方や左右方向に向いた矢印よりも小さな矢印で示されている。また、このとき、クロスフローファン７の回転数も下げて、吹出口４から吹き出させる風量を下げる。それにより、吹き出される調和空気の風量が少なくなって風速が弱くなるのに加え、水平羽根６に調和空気を当てて風速を減少させることで人に空気の流れを感じ難くさせている。この状態で、アーム４０，４１，４２の迫出し量を調整して吹出口４の周囲と水平羽根６との間隔を変えることにより、調和空気の流れを調整することもできる。
【００６２】
このとき、垂直羽根９によって左右に流れる気流を制御できるのは冷房運転や暖房運転のときと同様である。左右に流れた調和空気は左横吹誘導板１５と右横吹誘導板１６に沿って流れるので、左横吹誘導板１５と右横吹誘導板１６で規定した所望の角度で左右に吹き出される。
【００６３】
＜第２実施形態＞
第２実施形態に係る空気調和装置の概要は、上述した第１実施形態の空気調和装置と同様である。第２実施形態に係る空気調和装置の室内機は、第１実施形態の室内機と異なる空気調和装置の風向装置を備えている。第２実施形態の風向装置が第１実施形態の風向装置と異なる点は、水平羽根駆動機構の構成である。図１６は、第２実施形態の室内機１Ａを右斜め下から見た斜視図である。化粧パネル５は、第１実施形態と第２実施形態で同じであって、吹出口４が底面１ｅの開口部１２ａと、その左右に設けられた開口部１２ｂ，１２ｃを有している。そのため、水平羽根６Ａが本体部６Ａａと左側面部６Ａｂと右側面部６Ａｃとを有している。
【００６４】
＜風向装置の構成＞
この水平羽根６Ａを駆動するための水平羽根駆動機構は、図１６に示すように、水平羽根６Ａを支持しつつ平行に移動させるための左支持アーム５１および右支持アーム５２を備えている。左支持アーム５１および右支持アーム５２は、ラックアンドピニオン機構（図示省略）によって前方に向かって斜め下方に伸びるように移動（迫出し）したり、それとは逆の方向に移動して収納されたりする。これら左支持アーム５１および右支持アーム５２は、水平羽根６Ａと連結される連結部５１ａが軸支されるのではなく、ボールジョイント（図示省略）で水平羽根６Ａに連結されるため、水平羽根６を支持した状態で前後への回動だけでなく、左右の回動にも対応できる。
【００６５】
また、水平羽根駆動機構は、回動アーム５０ａと揺動アーム５０ｂと可動軸５０ｃと連結部５０ｄを含む中間支持アーム５０を備えている。回動アーム５０ａは、ケーシング本体２に連結される一端側が駆動軸（図示省略）により軸支されており、駆動軸の周りに回動可能である。回動アーム５０ａの他方端側と揺動アーム５０ｂの一端側とは可動軸５０ｃにより連結されており、揺動アーム５０ｂは、可動軸５０ｃの周りで揺動可能である。また、揺動アーム５０ｂの他方端側がボールジョイントの連結部５０ｄにより水平羽根６Ａに支持されており、揺動アーム５０ｂは、連結部５０ｄの周りに揺動可能である。連結部５０ｄにより水平羽根６Ａが連結されている位置は、左支持アーム５１および右支持アーム５２を連結している連結部５１ａ、５２ａを結ぶ軸が先端部６Ａｄの近傍であるのに対し、後端部６Ａｅの近傍である。左支持アーム５１および右支持アーム５２の連結部５１ａ，５２ａを結ぶ軸と揺動アーム５０ｂの連結部５０ｄの位置が水平羽根６Ａの前後方向にずれているため、回動アーム５０ａを回動させることによって水平羽根６Ａを回動させることができる。また、揺動アーム５０ｂが揺動することにより、回動アーム５０ａの一端側の駆動軸と揺動アーム５０ｂの連結部５０ｄとの距離を変化させることができるため、支持アーム５１，５２の移動に対して回動アーム５０ａの回動を追随させることにより水平羽根６Ａを平行に移動させることも可能になっている。それにより、例えば、平坦な水平羽根６Ａの本体部６Ａａの上面６Ａｉが水平になる姿勢を、水平羽根６Ａが取りうるものとなっている。
【００６６】
空気調和装置の風向装置は、以上説明した水平羽根６Ａと垂直羽根９およびそれらを駆動するための水平羽根駆動機構に加え、垂直羽根駆動機構を備えている。水平羽根駆動機構および垂直羽根駆動機構の制御については後述する。垂直羽根駆動機構は、垂直羽根９を駆動するため、上述の垂直羽根連結棒１０を有している。上述の水平羽根６Ａと垂直羽根９の吹出し方向の調整により、またクロスフローファン７の風速の調整により、室内の形態や室内の状況に対応した適切な空気調和のための調和空気の気流を発生する。これら水平羽根６Ａや垂直羽根９やクロスフローファン７の制御を行うために、図１７に示すような制御部２０Ａを備えている。制御部２０Ａは、室内機１の各機器を制御するための室内制御部２１Ａと、室外機の各機器を制御するための室外制御部２２とを備えており、室内制御部２１Ａと室外制御部２２との間を信号線２３で接続して構成されている。第１実施形態の制御部２０と第２実施形態の制御部２０Ａの異なる点は、室内制御部２１と室内制御部２１Ａの違いだけであるため、以下室内制御部２１Ａについて説明し、室外制御部２２については説明を省く。また、送受信部３０、クロスフローファン用モータ３３、温度センサ２９および表示部３５などと室内制御部２１Ａとの関係は、室内制御部２１の場合と同じであるので、説明を省略する。
【００６７】
室内制御部２１Ａには、送受信部３０、水平羽根駆動機構３１Ａ、垂直羽根駆動機構３２、クロスフローファン用モータ３３、温度センサ３４および表示部３５などが接続されている。室内制御部２１Ａが制御する水平羽根駆動機構３１Ａは、水平羽根６Ａを左または右に傾けるようにするため、左支持アーム駆動部３６と右支持アーム駆動部３７とを備えている。そして、室内制御部２１Ａは、左支持アーム駆動部３６と右支持アーム駆動部３７とを独立して駆動させることができる。室内制御部２１Ａは、水平羽根６Ａを平行移動させるときには、左支持アーム５１の移動量と右支持アーム５２の移動量とが同じになるように制御し、水平羽根６Ａを左右のいずれかに傾けるときには、左支持アーム５１の移動量と右支持アーム５２の移動量とが異なるように制御する。
【００６８】
また、水平羽根駆動機構３１Ａは、水平羽根６Ａを回動させるための中間支持アーム駆動部３８を備えている。水平羽根６Ａが吹出口４を塞いだ状態から開放して、水平羽根６Ａを所望の状態にするには、室内制御部２１Ａは、まず、左支持アーム駆動部３６と右支持アーム駆動部３７により左支持アーム５１と右支持アーム５２を移動して水平羽根６Ａを迫出させる。それにより水平羽根６Ａによって塞がれていた吹出口４は開放されるが、このとき、中間支持アーム駆動部３８は、水平羽根６Ａが平行移動するように追従して、回動アーム５０ａを回動させる。
【００６９】
次に、左支持アーム５１および右支持アーム５２を固定した状態にするとともに、中間支持アーム駆動部３８により、回動アーム５０ａを回動させ、左支持アーム５１の連結部５１ａと右支持アーム５２の連結部５２ａとを結ぶ軸の周りで水平羽根６Ａを回動させる。以上のような平行移動と回動移動の２ステップの操作で水平羽根６Ａを所望の状態に移動することができる。
【００７０】
なお、上述のような２ステップの操作を並行して行わせ、平行移動させつつ回動移動をさせることにより１ステップで水平羽根６Ａを所望の状態に移動させるように、室内制御部２１Ａが制御することもできる。
【００７１】
＜風向装置の動作＞
第２実施形態に係る風向装置の動作において、水平羽根６Ａが水平な状態で、吹出口４から調和空気を吹き出させる場合は、上述の第１実施形態と同様に、次の４つの動作を行わせることができる。すなわち、水平羽根６Ａで吹出口４を塞いだ状態での左右吹き、あるいは水平羽根６Ａが水平状態であるときの冷房運転時の吹出し、暖房運転時の吹出し、および無感気流モード時の吹出しについては、第２実施形態の風向装置も第１実施形態の風向装置と同じである。
【００７２】
（無感気流モード時の吹出し）
無感気流モード時に水平羽根を傾けたときの正面状態が図１８に示されており、斜め右か方から見た状態が図１９に示されている。図１８および図１９に示されているのは、左支持アーム５１を右支持アーム５２よりも長く延ばすことにより水平羽根６Ａの左側が下がった状態である。また、無感気流モード時であるから、水平羽根６Ａの先端部６Ａｄが後端部６Ａｅよりもやや上がり、水平羽根６Ａの上面が吹出口４に対向する状態になっている。つまり、無感気流モードでの水平羽根６Ａの姿勢は、左支持アーム５１および右支持アーム５２を同じ長さに延ばしているときには、水平羽根６Ａが吹出口４を閉じている姿勢に対して概ね平行であり、左支持アーム５１を長く延ばすことによりその状態からさらに左側が下がった状態になる。
【００７３】
このように水平羽根６Ａの左側が下がった状態で、垂直羽根９をケーシング本体２の長手方向に対して左に傾けると、水平羽根６Ａの左端の左側スリット１３に、吹出口４から吹き出された調和空気を案内することができる。このとき水平羽根６Ａが左に傾いているため、左側へ誘導し易くなる。また、水平羽根６Ａが左に傾いているため、左側スリット１３の左横吹誘導板１５の角度がさらに下向きに傾くことになるので、ケーシング本体２の左側面１ｂにさらに近いゾーンに調和空気を流すことができる。
【００７４】
一方、水平羽根６Ａの左側が下がった状態で、垂直羽根９をケーシング本体２の長手方向に対して右に傾けると、水平羽根６Ａの右端の右側スリット１４に、吹出口４から吹き出された調和空気を案内することができる。このとき水平羽根６Ａが左に傾いているため、右側へ誘導されるときに水平羽根６Ａに沿って戻る方向になることから調和空気の気流がさらに弱まるので、調和空気の弱い気流の制御が行い易くなる。また、水平羽根６Ａが左に傾いているため、右側スリット１４の右横吹誘導板１６が下向きに傾く角度が小さくなるので、ケーシング本体２の右側面１ｃから遠いゾーンに調和空気を流し易くなる。
【００７５】
なお、冷房運転時においても、水平羽根６Ａを傾けることにより、無感気流モード時の吹出しと同じように、左右方向への気流の流れのバリエーションを加えることができる。冷房運転時における水平羽根６Ａについては、無感気流モード時の水平羽根６Ａの位置よりもさらに先端部６Ａｄが下がるが、外観は似ているので図示は省略する。水平羽根６Ａが傾いている方に吹き出すように垂直羽根９を傾けると、速い気流を吹き出し易くなる。また、左横吹誘導板１５または右横吹誘導板１６の角度が水平羽根６Ａが傾くことによって変化させられるため、左右の吹出し方向を微細に調整できる。一方、水平羽根６Ａが傾いている方とは逆の向きに吹出すように垂直羽根９を傾けると、遅い気流を吹出し易くなる。
【００７６】
（暖房運転時の吹出し）
暖房運転時に水平羽根を傾けたときの正面状態が図２０に示されており、斜め右か方から見た状態が図２１に示されている。図２０および図２１に示されているのは、左支持アーム５１を右支持アーム５２よりも長く延ばすことにより水平羽根６Ａの左側が下がった状態である。また、暖房運転時であるから、水平羽根６Ａの先端部６Ａｄが後端部６Ａｅよりも下がり、水平羽根６Ａの上面が垂直の状態よりも後端部６Ａｅが前方へ出て、上面がやや下方を向いた状態になっている。
【００７７】
このように水平羽根６Ａの左側が下がった状態で、垂直羽根９をケーシング本体２の長手方向に対して左に傾けると、水平羽根６Ａの左端の左側スリット１３に、吹出口４から吹き出された調和空気を案内することができる。このとき水平羽根６Ａが左に傾いているため、左側へ誘導し易くなる。また、水平羽根６Ａが左に傾いているため、左側スリット１３の左横吹誘導板１５の角度によりケーシング本体２の左側前方に調和空気を流し易くなる。
【００７８】
一方、水平羽根６Ａの左側が下がった状態で、垂直羽根９をケーシング本体２の長手方向に対して右に傾けると、水平羽根６Ａの右端の右側スリット１４に、吹出口４から吹き出された調和空気を案内することができる。このとき水平羽根６Ａが左に傾いているため、右側へ誘導されるときに水平羽根６Ａに当たって調和空気の気流がさらに弱まるので、調和空気の弱い気流の制御が行い易くなる。また、水平羽根６Ａが左に傾いているため、右側スリット１４の右横吹誘導板１６が下向きに傾く角度が小さくなるので、ケーシング本体２の右側面１ｃから遠いゾーンに調和空気を流し易くなる。
【００７９】
＜変形例＞
（１）上記各実施形態では、壁掛け型室内機１，１Ａ，１Ｂに、左側スリット１３および右側スリット１４が形成されている水平羽根６，６Ａに形成されている場合について説明した。しかし、左側スリットおよび右側スリットが形成されている水平羽根を適用できる室内機は壁掛け型室内機に限られるものではなく、天井設置型室内機や据え置き型室内機などに適用することができる。
【００８０】
（２）上記第１実施形態および第２実施形態においては、左側面部６ｂ，６Ａｂおよび右側面部６ｃ，６Ａｃは、左側スリット１３および右側スリット１４が形成されている場合、あるいは形成されていない場合について説明した。つまり、水平羽根６，６Ａは、左側面部６ｂ，６Ａｂおよび右側面部６ｃ，６Ａｃの状態が固定されており、途中で変更されることはなかった。
【００８１】
しかし、左側スリット１３および右側スリット１４にスライドするシャッターを設けて、手動により開閉を行うようにして、上記第１実施形態および第２実施形態と変形例（１）の状態を切り換えるように構成することもできる。また、手動ではなく、自動的に、左側スリット１３および右側スリット１４の開閉を行わせるようにすることもできる。
【００８２】
さらには、左側スリット１３および右側スリット１４の開口の大きさをシャッターにより調整するように構成してもよい。それにより、室内の状態や環境に応じてさらに細やかな空気調和を行わせることができる。
【００８３】
（３）上記第１実施形態および第２実施形態並びに上記変形例（１）および変形例（２）において、図５に示すように、吹出口４の左側の開口部１２ｂおよび右側の開口部１２ｃは、単に開口が形成されているだけで気流を案内する部材が配置されていない場合について説明した。
【００８４】
しかし、吹出口４に続く吹出通路８に図２２に示すガイドを設けることもできる。図２２（ａ）および図２２（ｂ）はいずれも室内機１Ｂを右下側から見た状態を示す斜視図である。図２２（ｂ）よりも図２２（ａ）の方がさらに右側に移動した位置から見上げている。右側の開口部１２ｃに設けられているガイド６０は、水平に配置された略板状の部材であり、吹出口４の長手方向（水平羽根６，６Ａの長手方向）に調和空気を案内する。そのため、ガイド６０の上方にあるケーシング本体２との間にスリット状の隙間６１が形成されている。なお、図２２（ａ）および図２２（ｂ）には右側のガイド６０しか示されていないが、左側には右側と対称に左側に吹き出すためのガイドが設けられる。左側のガイドについては右側のガイド６０と同じ機能であることから、以下の説明では左側のガイドの説明を省く。
【００８５】
第１実施形態や第２実施形態の水平羽根６，６Ａのように、右側スリット１４が形成されている場合には、垂直羽根９を傾けて右に調和空気を吹き出させることによって、水平羽根６，６Ａを閉じた状態でガイド６０から右側スリット１４に調和空気が案内される。そのため、ガイド６０と右側スリット１４との協働によって右方向への調和空気の吹き出しが容易になる。
【００８６】
水平羽根６，６Ａによってガイド６０の隙間６１が塞がれないところまで、右側スリット１４がある水平羽根６，６Ａを少し開放した場合には、ガイド６０の隙間６１から水平に右側に調和空気を吹き出させると同時に、右側スリット１４からも右方向に調和空気を吹き出させることができる。そのため、より多くの調和空気をガイド６０と水平羽根６，６Ａとの協働により右方向に吹き出させることができる。
【００８７】
また、上記第２実施形態の風向装置を用いて、水平羽根６Ｂを傾けることができる。この場合に、傾けることによって、例えば、左側面部６Ｂｂで左のガイドを覆うことによって、右側のガイド６０から強く、あるいは右側のガイド６０からのみ吹き出させることができる。また、例えば、上記第２実施形態の風向装置の水平羽根６Ａとガイド６０とを組み合わせることで、右方向への調和空気の気流のバリエーションをさらに増やすことができる。
【００８８】
＜特徴＞
（ａ）
室内機１，１Ａ，１Ｂに設けられる水平羽根６，６Ａは、吹出口４の前方に設けられている。ここで、前方とは、吹出口４から調和空気が吹き出される方向において、吹出口４から下流のことであり、吹出口４と接触していて吹出口４と一致する場合も含む概念である。前方というときは、吹出口４の上流は含まれない。従って、上記各実施形態のように、吹出口４が底面１ｅに設けられている場合においては、室内機１，１Ａ，１Ｂの前面１ａよりも後にあっても、吹出口４の前方となる。室内機１，１Ａ，１Ｂに設けられる水平羽根６，６Ａは、吹出口４の開閉を行うとともに、吹出口４から吹き出される調和空気の風向きを上下に変更することができる。
【００８９】
この水平羽根６．６Ａの左端部近傍には左側スリット１３が形成され、右側端部近傍には右側スリット１４が形成されている。垂直羽根９で左方向への調和空気の流れをつくり出すことにより、左側スリット１３を通して左方向へ調和空気を吹き出させることができる。また、垂直羽根９で右方向への調和空気の流れをつくり出すことにより、右側スリット１４を通して右方向へ調和空気を吹き出させることができる。左側スリット１３および右側スリット１４の形状や形成位置などによって、左側スリット１３および右側スリット１４を通過する調和空気の気流は、水平羽根６，６Ａの上面６ｉ，６Ａｉに当たっただけで左右方向に吹き出される調和空気の気流とは異なることから、これらの違いを利用することにより、気流のバリエーションを増やすことができる。
【００９０】
なお、上述の左側スリット１３は、上下に分割されており、左上部スリット１３ａと左下部スリット１３ｂからなる。また、上述の右側スリット１４は、右上部スリット１４ａと右下部スリット１４ｂからなる。しかし、左側スリット１３および右側スリット１４が分割されていることは発明にとって必須の構成ではない。つまり、スリットの形状が上述のものとは異なってもよく、要求される性能に応じて適切に設定される。スリットの形状としては、前後で分割するなど分割の仕方を変えたり、スリットの外周を楕円形や円形にしたり、分割する個数を３個以上にするなど種々のものが考えられる。
【００９１】
左上部スリット１３ａに対しては、斜面６ｋと左横吹誘導板１５が横吹誘導部に相当する。そして、左下部スリット１３ｂに対しては、左横吹誘導板１５が横吹誘導部に相当する。従って、左側スリット１３の横吹誘導部は、斜面６ｋと左横吹誘導板１５であり、これらはいずれか一つだけでも横吹誘導部として機能する。同様に、右側スリット１４の横吹誘導部は、斜面６ｌと右横吹誘導板１６であり、これらはいずれか一つだけでも横吹誘導部として機能する。斜面６ｋ，６ｌ、左横吹誘導板１５および右横吹誘導板１６は、左側スリット１３および右側スリット１４に調和空気を誘導し易くする機能を果たしているが、それだけではなく、その表面が向く方向に沿って調和空気の気流を形成して所望の方向に吹き出させる役割も果たしている。所望の方向に吹き出させる役割を果たすという意味で、斜面６ｋ，６ｌ、左横吹誘導板１５および右横吹誘導板１６は、横吹方向を決める部材でもある。
【００９２】
左側スリット１３は左側面部６ｂに形成され、右側スリット１４は右側面部６ｃに形成されている。本体部６ａの左端に本体部６ａよりも吹出口４の方に曲がるように左側面部６ｂが形成されている。つまり、本体部６ａよりも左側面部６ｂが吹出口４の方に向かって反っている。そのため、左側面部６ｂは、本体部６ａに沿って左側に進んで行って左側に吹き出そうとする調和空気に対しては障害物となる。その障害物となる左側面部６ｂに左側スリット１３が形成されているから、左側スリット１３以外のところを通って左に吹き出す調和空気を一部制限できる。それにより、調和空気が集中的に左側スリット１３を通過するようにして、左側に吹き出される調和空気の気流の領域を規制しつつ強く吹き出させることができ、室内機が取り付けられている壁に沿った領域の空気調和を行い易くなる。
【００９３】
上述の水平羽根６，６Ａが制御部２０，２０Ａにより制御されており、制御部２０，２０Ａは、水平羽根６，６Ａによって吹出口４を塞ぐことができる。そして、水平羽根６，６Ａが吹出口４を塞いだ状態で、制御部２０，２０Ａはクロスフローファン用モータ３３を駆動させることができる。クロスフローファン用モータ３３が駆動したとき、左側スリット１３および右側スリット１４以外の部分は塞がっているので、左側スリット１３および右側スリット１４からだけ調和空気を吹き出させることができる。しかも他の部分が塞がっているため吹き出される調和空気が左側スリット１３および右側スリット１４に集中するので強く吹き出させることも可能である。
【００９４】
（ｂ）
図２２に示した右側のガイド６０および図示を省略した左側のガイドによって、水平羽根６，６Ａの左右方向に調和空気を導くことができる。これら右側のガイド６０および左側のガイドは、水平羽根６，６Ａが閉じたときに塞がれる吹出通路８内（水平羽根に覆われる空間）にあるため、運転停止時などにおいては外観に表れないことから、洗練された外観を得るための設計をし易くしている。
【００９５】
そして、水平羽根６，６Ａにあっては、右側のガイド６０および左側のガイドとの協働によって、右側のガイド６０および左側のガイドが設け入られていない場合とは異なり、調和空気の左右方向への吹き出しを効率よく行わせることができる。水平羽根６，６Ａが閉じているときには、右側のガイド６０から右側スリット１４に案内する調和空気の流路を形成でき、左側のガイドから左側スリット１３に案内する調和空気の流路を形成できる。水平羽根６，６Ａを開放したときには、水平羽根６，６Ａに案内されて左右方向に導かれる調和空気の気流とともに、右側のガイド６０および左側のガイドによって形成される気流によって左右に調和空気が吹き出される。それにより、右側のガイド６０および左側のガイドが設け入られていない場合に比べ、調和空気の左右方向への吹き出しが行い易くなる。
【００９６】
（ｃ）
室内機１，１Ａ，１Ｂにおいて、水平羽根６，６Ａが吹出口４を覆っているけれども水平羽根６，６Ａが吹出口４を塞いでいない状態をつくり出すこともできる。つまり、水平羽根６，６Ａの周囲と吹出口４との周囲の間に隙間があるような状態である。このような状態でも、隙間を狭くすれば塞いだときに近い状態をつくり出すことができる。隙間がある場合には、隙間からも調和空気を吹き出させることができ、左右方向だけでなく、例えば前方に向かう調和空気の気流も同時につくり出せる。吹出口４の周囲と水平羽根６，６Ａ，６ｂとの距離の調節が多様化するので、風向や風速などの制御のバリエーションを増やす効果がある。このように水平羽根６，６Ａ、周囲と吹出口４との周囲の間に隙間があるような状態をつくり出すことは、水平羽根６，６Ａを迫出させることによって行える。そのためには、上記第１実施形態および第２実施形態で説明した水平羽根駆動機構のような機構が必要になる。
【００９７】
水平羽根駆動機構は、図１４および図１５を用いて説明したアーム４０，４１，４２や左支持アーム５１、右支持アーム５２および回動機構によって、前後左右の４方向に調和空気を導くことができる状態に本体部６ａ，６Ａａ、左側面部６ｂ、６Ａｂおよび右側面部６ｃ，６Ａｃを迫出させ得る。前方と後方に同じだけ調和空気を吹き出させることはしないが、前後左右の４方向に調和空気を導くことができる状態に水平羽根駆動機構によって調整可能であるから、その状態から少し前方に調和空気が流れ易い状態をつくってやる角度に水平羽根６，６Ａを調整するのは簡単である。水平羽根６を例に取ると図１４および図１５のように先端部６ｄを少し下に傾けるなど微調整をすることにより、調和空気が周囲に分散する状態に近い状態を作り出すと、調和空気の流れを人が感じ難い静粛性の高い状態で空気調和を行うことができる。リモートコントローラなどによって設定された所望の空気調和状態に近い状態になった状況において、静粛性の高い状態で空気調和を行うことができ、空気調和の快適性を向上させることができる。
【００９８】
第２実施形態に係る室内機１Ａについて図１６乃至図２１を用いて説明したように、第２実施形態の水平羽根駆動機構は、本体部６Ａａを左または右に傾けることができる。垂直羽根９で左または右あるいは左右双方に調和空気を強く吹き出させるのに加え、本体部６Ａａの傾きにより調和空気が本体部６Ａａから受ける反作用の方向が決まるため、垂直羽根９と同じ方向に本体部６Ａａを傾けるときには、吹き出される力が強まる。逆に、垂直羽根９によって決まる吹き出し方向と逆に本体部６Ａａを傾けると、調和空気が吹き出される力が弱まる。例えば垂直羽根９により右に向けて調和空気が吹き出されるときに本体部６Ａａを左が低くなるように左に傾けると、右に向けて吹き出される調和空気の気流が弱くなる。このように、本体部６Ａａを傾けられるように構成することで、左右へ吹き出す調和空気の気流の微調整ができ、気流のバリエーションを増やすことができるから、室内の状況に合わせた空気調和を行い易くなる。
【符号の説明】
【００９９】
１，１Ａ，１Ｂ  室内機
４  吹出口
６，６Ａ  水平羽根
６ａ、６Ａａ  本体部
６ｂ，６Ａｂ  左側面部
６ｃ、６Ａｃ  右側面部
１３  右側スリット
１４  左側スリット
２０，２０Ａ  制御部
３１，３１Ａ  水平羽根駆動機構
６０  ガイド
【先行技術文献】
【特許文献】
【０１００】
【特許文献１】特開２００６−２９８４号公報
【図１】
2011027330.tif 000003
【図２】
2011027330.tif 000004
【図３】
2011027330.tif 000005
【図４】
2011027330.tif 000006
【図５】
2011027330.tif 000007
【図６】
2011027330.tif 000008
【図７】
2011027330.tif 000009
【図８】
2011027330.tif 000010
【図９】
2011027330.tif 000011
【図１０】
2011027330.tif 000012
【図１１】
2011027330.tif 000013
【図１２】
2011027330.tif 000014
【図１３】
2011027330.tif 000015
【図１４】
2011027330.tif 000016
【図１５】
2011027330.tif 000017
【図１６】
2011027330.tif 000018
【図１７】
2011027330.tif 000019
【図１８】
2011027330.tif 000020
【図１９】
2011027330.tif 000021
【図２０】
2011027330.tif 000022
【図２１】
2011027330.tif 000023
【図２２】
2011027330.tif 000024